(57)【要約】【課題】  頭の地肌を汚すことなく毛染めを行うための構造を非常に簡単なものとして製造コストを非常に安くし、しかも均一な状態で塗布液を頭髪に塗布することができる頭髪用塗布具を提供する。【解決手段】  塗布液を収容する容器本体１と、前記塗布液の吸上げ芯２と、この吸上げ芯２を覆っておく蓋体３とからなり、前記吸上げ芯２は、塗布液を毛細管現象により吸い上げるようにすると共に、その先端部において毛細管現象が起こらないようにしている。 【選択図】    図２
2005287926.tif 000002
【特許請求の範囲】
【請求項１】
塗布液を収容する容器本体（１）と、前記塗布液の吸上げ芯（２）と、この吸上げ芯（２）を覆っておく蓋体（３）とからなり、前記吸上げ芯（２）は、塗布液を毛細管現象により吸い上げるようにすると共に、その先端部において毛細管現象が起こらないようにしたことを特徴とする頭髪用塗布具。
【請求項２】
前記塗布液を含浸材（４）に含浸させたものとしたことを特徴とする請求項１記載の頭髪用塗布具。
【請求項３】
前記容器本体（１）の開口部（１ａ）に保持体（５）を嵌め込んだものとすると共に、吸上げ芯（２）の中間部に抜止め部（２ａ）を形成したものとし、保持体（５）を合成樹脂成形するときに、吸上げ芯（２）の中間部を保持体（５）にインサート成形したものとしたことを特徴とする請求項１または２記載の頭髪用塗布具。
【請求項４】
前記吸上げ芯（２）の先端部に、合成樹脂を含浸させたものとしたことを特徴とする請求項１から３の何れかに記載の頭髪用塗布具。
【請求項５】
前記吸上げ芯（２）の先端部に、合成樹脂を塗布したものとしたことを特徴とする請求項１から３の何れかに記載の頭髪用塗布具。
【請求項６】
前記吸上げ芯（２）の先端部を、柔軟性不浸透材で被覆したものとしたことを特徴とする請求項１から３の何れかに記載の頭髪用塗布具。
【請求項７】
前記吸上げ芯（２）を合成樹脂繊維とし、この吸上げ芯（２）の先端を溶融させて固化したものとしたことを特徴とする請求項１から３の何れかに記載の頭髪用塗布具。
【発明の詳細な説明】
【技術分野】
【０００１】
この発明は、毛染め液や整髪料などの塗布液を頭髪に塗布するための頭髪用塗布具に関するものである。
【背景技術】
【０００２】
従来、この種の頭髪用塗布具としては、例えば図４、５に示したように、容器本体１１の口縁部１１ａに櫛付きキャップ１２を取付けたものとしており、櫛付きキャップ１２に列設された主櫛歯片１３には、容器本体１１内に連通して主櫛歯片１３の側面に開口する注出口１３ａが設けられ、また主櫛歯片１３の両側にその先端が同じ高さ以上とされた副櫛歯片１４が列設されたものが存在する（特許文献１）。
【０００３】
このように構成された従来の頭髪用塗布具は、両側の副櫛歯片１４を頭皮に当接すれば、頭皮に対して主櫛歯片１３が直角に維持され、頭髪を梳くことができる。したがって、この頭髪用塗布具は、使用者が容易に毛染め液などの塗布液を塗布することができるという効果を有する。
【０００４】
さらに、この種の頭髪用塗布具としては、例えば図６、７に示したように、毛染め液を収容した容器本体２１と、この容器本体２１に過半部が挿入された毛染め液誘導芯部及びこの誘導芯部の容器本体２１の先端より突出した長棒形状の突出部２２に嵌合装着された短歯２３と長歯２４を有する櫛部２５よりなり、櫛部２５は連結部２６によって連結された上下二本のブリッジ２７、２８を備え、これらブリッジ２７、２８を連結するよう頭皮側のブリッジ２８に設けられた長歯２４と、前記ブリッジ２７、２８を連結することなく、頭皮側のブリッジ２８にのみ設けられた短歯２３が少なくとも交互に配置されたものが存在する（特許文献２）。
【０００５】
このように構成された従来の頭髪用塗布具は、毛染めのときに頭髪に櫛の歯が接触しても毛染め液の滲出面に頭髪が接触することがないので、滲出した毛染め液によって頭の地肌を汚すことなく毛染めを行うことができるという効果を有する。
【特許文献１】特開２００２−１９１４２７号公報（第２頁、図１、３）
【特許文献２】特開平１０−２６２７２６号公報（第２頁、図１、３）
【発明の開示】
【発明が解決しようとする課題】
【０００６】
しかしながら、図４、５に示した従来の頭髪用塗布具においては、頭の地肌を汚すことなく毛染めなどを行うために、上記したように容器本体１１内に連通して主櫛歯片１３の側面に開口する注出口１３ａが設けられ、また主櫛歯片１３の両側にその先端が同じ高さ以上とされた副櫛歯片１４が列設されているという複雑な構造としなければならず、製造コストが高くなるという問題点を有していた。
【０００７】
また、図６、７に示した従来の頭髪用塗布具においても、頭の地肌を汚すことなく毛染めなどを行うために、上記したように櫛部２５が連結部２６によって連結された上下二本のブリッジ２７、２８を備え、これらブリッジ２７、２８を連結するよう頭皮側のブリッジ２８に設けられた長歯２４と、前記ブリッジ２７、２８を連結することなく、頭皮側のブリッジ２８にのみ設けられた短歯２３が少なくとも交互に配置されているという非常に複雑な構造としなければならず、製造コストが非常に高くなるという問題点を有していた。
【０００８】
さらに、図４、５に示した従来の頭髪用塗布具においては、主櫛歯片１３の側面に開口するように設けられた注出口１３ａからのみ塗布液が注出されるので、均一な状態で頭髪に塗布することができないという問題点を有していた。
【０００９】
また、図６、７に示した従来の頭髪用塗布具においても、誘導芯部の突出部２２を長棒形状としているため、毛染め液がこの誘導芯部の突出部２２の先端までなかなか滲み込まず、毛染め液の頭髪への供給が充分に行うことができず、均一な状態で頭髪に塗布することができないという問題点を有していた。
【００１０】
そこで、この発明は、上記従来の課題を解決するものであり、頭の地肌を汚すことなく毛染めを行うための構造を非常に簡単なものとして製造コストを非常に安くし、しかも均一な状態で塗布液を頭髪に塗布することができる頭髪用塗布具を提供することを目的としてなされたものである。
【課題を解決するための手段】
【００１１】
そのため、この発明の頭髪用塗布具は、塗布液を収容する容器本体１と、前記塗布液の吸上げ芯２と、この吸上げ芯２を覆っておく蓋体３とからなり、前記吸上げ芯２は、塗布液を毛細管現象により吸い上げるようにすると共に、その先端部において毛細管現象が起こらないようにしている。
【００１２】
そして、この発明の頭髪用塗布具は、前記塗布液を含浸材４に含浸させたものとしている。
【００１３】
さらに、この発明の頭髪用塗布具は、前記容器本体１の開口部１ａに保持体５を嵌め込んだものとすると共に、吸上げ芯２の中間部に抜止め部２ａを形成したものとし、保持体５を合成樹脂成形するときに、吸上げ芯２の中間部を保持体５にインサート成形したものとしている。
【００１４】
また、この発明の頭髪用塗布具は、前記吸上げ芯２の先端部に、合成樹脂を含浸させたものしている。
【００１５】
さらに、この発明の頭髪用塗布具は、前記吸上げ芯２の先端部に、合成樹脂を塗布したものしている。
【００１６】
また、この発明の頭髪用塗布具は、前記吸上げ芯２の先端部を、柔軟性不浸透材で被覆したものとしている。
【００１７】
さらに、この発明の頭髪用塗布具は、前記吸上げ芯２を合成樹脂繊維とし、この吸上げ芯２の先端を溶融させて固化したものとしている。
【発明の効果】
【００１８】
この発明の頭髪用塗布具は、以上に述べたように構成されているので、頭の地肌を汚すことなく毛染めを行うための構造が非常に簡単なものとなり、製造コストを非常に安くすることができ、しかも均一な状態で塗布液を頭髪に塗布することができるものとなる。
【００１９】
さらに、この発明の頭髪用塗布具は、塗布液を頭髪に塗布する場合、頭の地肌を傷めることがないものとなる、
【発明を実施するための最良の形態】
【００２０】
以下、この発明の頭髪用塗布具の実施の形態を、図面に基づいて詳細に説明する。
【００２１】
図１〜３は、この発明の頭髪用塗布具の一実施形態を示しており、塗布液を収容する容器本体１と、前記塗布液の吸上げ芯２と、この吸上げ芯２を覆っておく蓋体３とからなる。なお、前記塗布液は、図示したように、含浸材４に含浸させて容器本体１に収容したものとしてもよいが、そのまま容器本体１に収容したものとしてもよい。
【００２２】
容器本体１は、合成樹脂などからなるものとし、例えば図示したような底付きの偏平な円筒体としており、容器内の略全域に前記含浸材４を収容するものとしており、開口部１ａに吸上げ芯２の保持体５を嵌め込んだものとしている。この保持体５を開口部１ａに嵌め込むには、例えば図示したように、容器本体１の開口部１ａ端の内側に凹部６を形成したものとし、保持体５の下部の外側に凸部７を形成したものとし、これら凹部６と凸部７とを嵌め合わせたものとすればよい。
【００２３】
吸上げ芯２は、羊毛繊維などの天然繊維、アクリル繊維やポリエステル繊維などの合成樹脂繊維の繊維束からなる棒状体としており、前記保持体５に貫通させて、上部を保持体５の上方に突出させ、下部を含浸材４に接触させるようにして、この保持体５に多数本、列設したものとしており、含浸材４に含浸させた塗布液を毛細管現象により吸い上げるようにすると共に、前記吸上げ芯２の先端部において毛細管現象が起こらないようにしている。この吸上げ芯２の先端部に毛細管現象が起こらないようにするには、吸上げ芯２の先端部に合成樹脂を含浸させたり、塗布したりすればよい。この場合、吸上げ芯２の先端部は、角を取って丸みを持たせたものとしておくのが好ましい。また、吸上げ芯２の先端部を、ゴム状弾性を有する合成樹脂、天然ゴム、各種の合成ゴム、再生ゴムなどの柔軟性不浸透材で被覆してもよい。この場合も、吸上げ芯２の先端部は、角を取って丸みを持たせたものとしておくのが好ましい。さらに、吸上げ芯２を合成樹脂繊維とした場合には、この吸上げ芯２の先端を溶融させて固化したものとしてもよい。
【００２４】
なお、前記吸上げ芯２は、溝や突起などの抜止め部２ａを中間部に形成したものとし、保持体５を合成樹脂成形するときに、この吸上げ芯２の中間部を保持体５にインサート成形することにより、保持体５に堅固に取り付けたものとしている。
【００２５】
蓋体３は、合成樹脂などからなるものとし、例えば図示したような偏平な円筒のキャップとしており、吸上げ芯２を覆うようにして、前記容器本体１の上部に着脱自在として取り付けられている。この蓋体３を容器本体１に取り付けるには、容器本体１の開口部１ａに直接、嵌め込んだものとすればよいが、前記容器本体１の開口部１ａに嵌め込んだ保持体５に、嵌め込んだものとしてもよい。この保持体５に蓋体３を嵌め込むには、例えば図示したように、蓋体３の下端部の内側に凹部８を形成したものとし、保持体５の上部の外側に凸部９を形成したものとし、これら凹部８と凸部９とを嵌め合わせたものとすればよい。なお、前記蓋体３は、吸上げ芯２を外気に触れないようにして、この吸上げ芯２が乾燥しないようにし、塗布液の吸上げ芯２への供給が妨げられないようにすると共に、使用時以外に塗布液が頭髪以外に付着しないようにするためのものである。
【００２６】
塗布液は、毛染め液、整髪料、着色剤など頭髪に塗布されるものであればよく、そのまま前記容器本体１に収容されたり、含浸材４に含浸させて前記容器本体１に収容されるものである。前記含浸材４は、羊毛繊維などの天然繊維、アクリル繊維やポリエステル繊維などの合成樹脂繊維からなるものとしており、容器本体１の開口部１ａから詰め込むなどして、容器本体１内に収容している。なお、含浸材４は、毛染め液などの塗布液をあらかじめ含浸させておいてもよいが、容器本体１の底部に注入口（図示せず）を設けるなどして、この注入口から注入した塗布液で含浸させたものとしてもよい。
【００２７】
以上のように構成されたこの発明の頭髪用塗布具は、使用時には容器本体１から蓋体３を外し、容器本体１を手に持って、吸上げ芯２を頭の地肌に押し当てるようにして、そのまま頭髪を梳かせばよい。この場合、含浸材４に含浸させた塗布液は、毛細管現象により吸上げ芯２の上部まで吸い上げられており、塗布液は吸上げ芯２の全体に常に滲み込んだ状態となっているので、塗布液の頭髪への塗布が均一な状態で行うことができる。またこの場合、吸上げ芯２の先端部では毛細管現象が起こらないようにしているので、塗布液は吸上げ芯２の先端部までは滲み込まず、吸上げ芯２の先端部が頭の地肌に接触しても、塗布液が地肌に塗布されることなく地肌が汚れることはない。さらに、吸上げ芯２の先端部が、角を取って丸みを持たせたものとしている場合や、柔軟性不浸透材で被覆されている場合には、頭髪を梳かしながら吸上げ芯２の先端部を頭の地肌に押し当てるようにしても、地肌は傷つくことがない。
【００２８】
そして、この発明の頭髪用塗布具は、不使用時には容器本体１に蓋体３を被せておけば、吸上げ芯２は露出することがないので、衣服のポケットやバッグなどに入れて携帯しても、ポケットやバッグなどが汚れることもない。
【図面の簡単な説明】
【００２９】
【図１】この発明の頭髪用塗布具の一実施形態を示す斜視図である。
【図２】この発明の頭髪用塗布具の幅方向の縦断面図である。
【図３】この発明の頭髪用塗布具の奥行き方向の縦断面図である。
【図４】従来の頭髪用塗布具の一例を示す要部断面図である。
【図５】図４に示す従来の頭髪用塗布具の櫛付きキャップの斜視図である。
【図６】従来の頭髪用塗布具の他の例を示す斜視図である。
【図７】図６に示す従来の頭髪用塗布具の櫛部の断面図である。
【符号の説明】
【００３０】
１  容器本体
１ａ  開口部
２  吸上げ芯
２ａ  抜止め部
３  蓋体
４  含浸材
５  保持体
【図１】
2005287926.tif 000003
【図２】
2005287926.tif 000004
【図３】
2005287926.tif 000005
【図４】
2005287926.tif 000006
【図５】
2005287926.tif 000007
【図６】
2005287926.tif 000008
【図７】
2005287926.tif 000009